(57)【要約】【課題】放射パネルに熱媒体流通管を容易に取り付けることができると共に、熱媒体流通管と放射パネルとの密着性が良好で優れた放射効率を有する天井放射パネルユニットの取付構造及び取付方法を提供することである。【解決手段】熱媒体が流れる熱媒体流通管１０、熱媒体流通管１０内を流れる熱媒体から受熱してその熱を放射するパネル本体１１とを備えた放射パネル２が、複数個並設して構成される天井放射パネルユニット１を、被空調室内の天井面５に取付ける天井放射パネルユニットの取付構造であって、天井放射パネルユニット１の上方に配設され、天井放射パネルユニットを構成する各放射パネル２を支持する支持部材３と、支持部材３を天井面５に吊り下げる吊下げ手段とを備え、パネル本体１１は凹部１２を有し、この凹部１２に熱媒体流通管１０が嵌り込み、凹部１２と支持部材３とによって熱媒体流通管１０が挟持されている。【選択図】  図２
2008275227.tif 000002
【特許請求の範囲】
【請求項１】
熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付構造であって、
天井放射パネルユニットの上方に配設され、天井放射パネルユニットを構成する各放射パネルを支持する支持部材と、
支持部材を天井面に固定する固定手段と、
を備え、
前記熱媒体流通管はパネル本体上に敷設され、この敷設された状態でパネル本体が前記支持部材に取り付けられ、この取り付けにより熱媒体流通管がパネル本体と支持部材とによって挟持されて熱媒体流通管がパネル本体に固定されていること特徴とする天井放射パネルユニットの取付構造。
【請求項２】
熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付構造であって、
前記熱媒体流通管はパネル本体上に敷設され、この敷設された状態でパネル本体が前記天井面に直接取り付けられ、この取り付けにより熱媒体流通管がパネル本体と天井面とによって挟持されて熱媒体流通管がパネル本体に固定されていること特徴とする天井放射パネルユニットの取付構造。
【請求項３】
前記パネル本体は凹凸のない平坦状に形成されており、このパネル本体の平坦面と支持部材とによって前記熱媒体流通管が挟持されていることを特徴とする請求項１記載の天井放射パネルユニットの取付構造。
【請求項４】
前記パネル本体は凹部を有し、この凹部に前記熱媒体流通管が嵌り込み、凹部と支持部材とによって熱媒体流通管が挟持されていることを特徴とする請求項１記載の天井放射パネルユニットの取付構造。
【請求項５】
前記支持部材と前記熱媒体流通管との間には、熱媒体流通管の上部を覆う押え部材が介在していることを特徴とする請求項１、３、４の何れかに記載の天井放射パネルユニットの取付構造。
【請求項６】
前記各放射パネルのパネル本体において、対向する２辺のうち一方の辺側には、支持部材に固定される固定部及び第１の係合部が設けられており、他方の辺側には、隣接する放射板の前記第１の係合部に係合可能な第２の係合部が設けられていることを特徴とする請求項１、３、４、５の何れかに記載の天井放射パネルユニットの取付構造。
【請求項７】
熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付方法であって、
前記パネル本体上に熱媒体流通管を敷設する工程と、
熱媒体流通管が敷設された状態でパネル本体を支持部材に固定し、且つ、この固定によって同時にパネル本体と支持部材とによって熱媒体流通管を挟持する工程と、
放射パネルが取り付けられた支持部材を天井面に支持固定する工程と、
を備えたことを特徴とする天井放射パネルユニットの取付方法。
【発明の詳細な説明】
【技術分野】
【０００１】
本発明は、病院、高齢者施設、図書館等の各種建物内の被空調室の天井に配設される天井放射パネル取付構造及び取付方法に関する。
【背景技術】
【０００２】
室内に設置される冷暖房装置としては、従来、冷水または温水等の熱媒をファンコイルに流し、このファンコイルにより空気を冷却または加熱し、これにより得られた冷気または暖気をファンにより強制的に循環させることによって室内の冷暖房を行ういわゆる強制対流空調によるものが主流であった。この強制対流空調による冷暖房では、ドラフトと呼ばれる局所的な気流が人体にあたって過度に温冷感を与えることにより快適性が損なわれたり、気流を強制的に発生させるためのファンによる騒音を伴うといった問題がある。
【０００３】
そこで、室内の調温等を行うための空気調和システムとして、例えば図１５に示すように、室内Ｒの天井に配設される放射パネル１０１と、この放射パネル１０１面に沿って走るように設けられたパイプ１０２よりなる熱媒体流路とを備え、この熱媒体流路内に熱媒体を流通させて放射パネル１０１を冷却または加熱し、この放射パネル１０１と人体との間で直接的に放射熱交換を行うことによって室内Ｒの冷暖房を行うようにした、いわゆる放射空調方式を利用した空気調和システムが提案されている（例えば特許文献１等参照）。上記のような放射空調による空気調和システムによれば、気流を強制的に発生させずに冷暖房を行うため、ドラフトによる不快感や騒音の問題を解消することができ、さらに、強制対流空調の場合に比して、熱媒の温度をより外気温に近くなるように（即ち、冷水をより高温に、温水をより低温に）設定しても十分な冷暖房効果が得られるため、省エネルギーの冷暖房装置とすることができるという利点もある。
【０００４】
【特許文献１】特開平７−１９５３３号公報
【発明の開示】
【発明が解決しようとする課題】
【０００５】
ところで、上記のような放射パネルにおいては、熱媒体流通管をパネル本体に取り付ける態様としては、パネル本体と熱媒体流通管との密着性が高く、両者の間の伝熱性が良好であることが必要である。
そこで、上記放射空調においては、熱媒流路を構成するパイプを例えばろう付け等の方法によってパネル本体に取り付けるようにするのが一般的であるが、この構造ではパイプがパネル本体に線的に接触した状態で固定されるため接触面積が少なく、このためパイプとパネル本体との間でのヒートロスが大きく熱伝導が十分になされ難い。
【０００６】
そこで、例えば前記特許文献１では、図１６に示すように、パネル本体１０１面上に断面Ｕ字形状のパイプ受け部１０３を設け、このパイプ受け部１０３にパイプ１０２を嵌め込み、この後さらに固定部材１０４を嵌め込むようにしてパイプ１０２を固定する構造が開示されている。
上記のようなパイプ１０２の取付構造によれば、パイプ１０２の外周面がパイプ受け部１０３に面的に接触した状態で固定されるため接触面積が大きく、したがってヒートロスが少なく熱伝導性を良好とすることができる。
【０００７】
しかしながら、パイプが前記ろう付け等の方法によって放射パネルに取り付けられる構造であれ、パイプ受け部１０３を介して取り付けられる構造であれ、パイプの取り付けには手間を要し、またパイプの取付工程で放射パネルとの接触が不十分となる不良が生じると熱伝導性が大きく損なわれることになるという問題がある。
【０００８】
また他の問題は、放射パネルを天井面に取り付ける取付工程とは別に、パイプの取付工程が必要であり、放射パネルを天井面に設置する作業時間が長くかかるという問題がある。
【０００９】
本発明は、上記の実情を鑑みて考え出されたものであり、その目的は、放射パネルに熱媒体流通管を容易に取り付けることができると共に、熱媒体流通管と放射パネルとの密着性が良好で優れた放射効率を有する天井放射パネルユニットの取付構造及び取付方法を提供することである。
【課題を解決するための手段】
【００１０】
本発明のうち請求項１記載の発明は、熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付構造であって、天井放射パネルユニットの上方に配設され、天井放射パネルユニットを構成する各放射パネルを支持する支持部材と、支持部材を天井面に固定する固定手段とを備え、前記熱媒体流通管はパネル本体上に敷設され、この敷設された状態でパネル本体が前記支持部材に取り付けられ、この取り付けにより熱媒体流通管がパネル本体と支持部材とによって挟持されて熱媒体流通管がパネル本体に固定されていること特徴とする。
【００１１】
上記の如く、熱媒体流通管がパネル本体と支持部材とによって挟持されることにより、熱媒体流通管とパネル本体の密着性が向上する。この結果、パネル本体と熱媒体流通管との間の伝熱性が良好となり、放射パネルの放射効率が向上する。
また、パネル本体を支持部材に取り付けることにより、同時に熱媒体流通管がパネル本体に取付固定されるので、取付作業が容易である。
加えて、天井放射パネルユニットを直接天井面に取り付ける構成に比べて、天井放射パネルユニットと天井面との間隔を大きくとることができるので、天井面での結露の発生を防止できる。
ここで、「支持部材を天井面に固定する固定手段」とは、例えば、実施の形態における、天井下地材３（支持部材に相当）を、野縁受け２１、吊りボルト２２、ハンガー金物２３等によってを天井面５に吊り下げる構造、また、放射パネルを天井パネル３Ａ（支持部材に相当）に取り付け、この天井パネルをＴバーを用いて天井面５に吊り下げる構造等が含まれる。
【００１２】
また、請求項２記載の発明は、熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付構造であって、前記熱媒体流通管はパネル本体上に敷設され、この敷設された状態でパネル本体が前記天井面に直接取り付けられ、この取り付けにより熱媒体流通管がパネル本体と天井面とによって挟持されて熱媒体流通管がパネル本体に固定されていること特徴とする。
【００１３】
上記の如く、放射パネルを天井面に直接取り付けて、パネル本体上に敷設された熱媒体流通管をパネル本体と天井面とによって挟持することによってもまた、上記請求項１記載の発明と同様の作用・効果を奏する。なお、請求項１記載の発明における支持部材が省略されているので、その分だけ部品点数が少なくなり、天井放射パネルユニットを天井面に取り付ける作業時間が低減すると共に、製造コストの低減が図れる。
【００１４】
また、請求項３記載の発明は、請求項１記載の天井放射パネルユニットの取付構造であって、前記パネル本体は凹凸のない平坦状に形成されており、このパネル本体の平坦面と支持部材とによって前記熱媒体流通管が挟持されていることを特徴とする。
【００１５】
上記構成によっても、パネル本体を支持部材に取り付けることにより、同時に熱媒体流通管がパネル本体に取付固定されるので、取付作業が容易である。
【００１６】
また、請求項４記載の発明は、請求項１記載の天井放射パネルユニットの取付構造であって、前記パネル本体は凹部を有し、この凹部に前記熱媒体流通管が嵌り込み、凹部と支持部材とによって熱媒体流通管が挟持されていることを特徴とする。
【００１７】
上記構成により、凹部内面に熱媒体流通管が密着するので、熱媒体流通管とパネル本体の接触面積が大きくなり、熱伝導性がさらに良好となる。
ここで、凹部は少なくとも１個形成されていればよい。勿論、パネル本体は、凹凸が連続する波型状に形成されたものでもよい。また、凹部の形状は熱媒体流通管が嵌まり込めばよいので、熱媒体流通管の断面形状、例えば円形、楕円、四角形であれば、その断面形状に応じた形状であればよい。
【００１８】
また、請求項５記載の発明は、請求項１、３、４の何れかに記載の天井放射パネルユニットの取付構造であって、前記支持部材と前記熱媒体流通管との間には、熱媒体流通管の上部を覆う押え部材が介在していることを特徴とする。
【００１９】
上記構成により、熱媒体流通管をパネル本体に確実に固定できる。
【００２０】
また、請求項６記載の発明は、請求項１、３、４、５の何れかに記載の天井放射パネルユニットの取付構造であって、前記各放射パネルのパネル本体において、対向する２辺のうち一方の辺側には、支持部材に固定される固定部及び第１の係合部が設けられており、他方の辺側には、隣接する放射板の前記第１の係合部に係合可能な第２の係合部が設けられていることを特徴とする。
【００２１】
上記構成により、放射パネル同士を容易に連結できると共に、パネル本体を支持部材に取り付ける際のねじ止め箇所が少なくなり、施工性が良好となる。
【００２２】
また、請求項７記載の発明は、熱媒体が流れる熱媒体流通管と、熱媒体流通管内を流れる熱媒体から受熱してその熱を放射するパネル本体とを備えた放射パネルが、複数個並設して構成される天井放射パネルユニットを、被空調室内の天井面に取付ける天井放射パネルユニットの取付方法であって、前記パネル本体上に熱媒体流通管を敷設する工程と、熱媒体流通管が敷設された状態でパネル本体を支持部材に固定し、且つ、この固定によって同時にパネル本体と支持部材とによって熱媒体流通管を挟持する工程と、放射パネルが取り付けられた支持部材を天井面に支持固定する工程と、を備えたことを特徴とする。
【００２３】
上記の如く、パネル本体を支持部材に固定すると同時に、パネル本体と支持部材とによって熱媒体流通管が挟持されるので、作業性が良好である。
【発明の効果】
【００２４】
本発明によれば、熱媒体流通管がパネル本体と支持部材とによって挟持されるか、若しくは熱媒体流通管がパネル本体と天井面とによって挟持されることにより、熱媒体流通管とパネル本体の密着性が向上する。この結果、パネル本体と熱媒体流通管との間の伝熱性が良好となり、放射パネルの放射効率が向上する。
また、パネル本体を支持部材に取り付けるか、若しくはパネル本体を天井面に直接に取り付けることにより、同時に熱媒体流通管がパネル本体に取付固定されるので、取付作業が容易である。
【発明を実施するための最良の形態】
【００２５】
以下、本発明を実施の形態に基づいて詳述する。なお、本発明は、以下の実施の形態に限定されるものではない。
【００２６】
（実施の形態１）
図１は実施の形態１に係る天井放射パネルユニットの取付構造を示す断面図、図２は図１の一部を拡大した断面図、図３は放射パネルの平面図、図４は放射パネルの一部を示す斜視図である。
【００２７】
図１において、天井放射パネルユニット１は、複数の放射パネル２が平面状に並設されて構成されている。この放射パネル２は天井下地材３（支持部材）に固定されており、天井下地材３は吊り下げ手段６によって天井面５に吊り下げられた構造となっている。なお、放射パネル２同士の連結方法、及び吊り下げ手段６の具体的構造は後述する。
【００２８】
放射パネル２は、図２に示すように、熱媒体としての冷水（又は温水）が流れる熱媒体流路を構成する断面が円形の熱媒体流通管１０と、熱媒体流通管１０を流れる冷水（又は温水）から受熱してその熱を放射するパネル本体１１とを備えている。
熱媒体流通管１０は、図３に示すように、直管部分１０ａと湾曲管部分１０ｂとからなり、パネル本体１１の表面（図１の上面）に添って適宜曲げられＳ字状に蛇行した状態で敷設されている。この熱媒流通管１０は、典型的にはアルミニウム管やアルミニウム合金管が用いられる。その他、銅管、樹脂管等を用いてもよい。さらに、アルミニウム管の内面及び外面がポリエチレンで被覆された３重構造であってもよい。
【００２９】
パネル本体１１はアルミニウムの押出成形により形成されたものであり、薄板状であって、且つ、複数の凹部１２と凸部１３が等しいピッチで連続した波型状に成形されている。本実施の形態では、凹部１２はパネル本体１１の幅方向（図１の左右方向）に同一ピッチで４個設けられている。各凹部１２は熱媒体流通管１０の断面形状に対応して半円状に形成されている。そして、各放射パネル２毎に、パネル本体１１の幅方向の左側から２番目の凹部１２に、熱媒体流通管１０の直管部分１０ａの下半円部が嵌り込み、直管部分１０ａの上半円部が押え部材１４によって覆われている。なお、熱媒体流通管１０の放射パネルユニット１全体における敷設状態は、図３に示すように、パネル本体１１毎に１つの凹部１２に熱媒体流通管１０の直管部分１０ａが嵌り込み、隣接する熱媒体流通管１０同士は湾曲管部分１０ｂで連結されて蛇行状に敷設されている。そして、湾曲管部分１０ｂはパネル本体１１裏面（図１の上面）から若干上方に傾斜して凹部１２から凸部１３に乗り上げた状態で敷設されている。なお、本実施の形態では、凹部１２はパネル本体１１の幅方向４個設けられているが、少なくとも１個設けられていればよい。
【００３０】
パネル本体１１の幅方向（図１の左右方向）の一方の側には、図２に示すように、パネル中心側に水平方向に延出する第１の係合部１５と、この第１の係合部１５に接続し天井下地材３に接触してタッピングねじ１６によってねじ止めされる固定部１７とが設けられている。また、パネル本体１１の幅方向の他方側には水平方向に延出する第２の係合部１８が設けられている。
【００３１】
直管部分１０ａの上半円部を覆う押え部材１４は、図４に示すように、アルミニウムから成り、直管部分１０ａの上半円部を覆う半円状の本体部分１４ａと、本体部分１４ａの両端からそれぞれ水平方向に延出されるフランジ部１４ｂとからなる。本体部分１４ａの頂部は天井下地材３の下面に当接して下方側に押圧力を付与する状態となっている。そのため、直管部分１０ａが凹部１２内面側に密着した状態で嵌り込んで強固に固定されている。この結果、熱媒体流通管１０とパネル本体１１との間の熱伝導性が良好なものとなっている。加えて、押え部材１４のフランジ部１４ｂは、パネル本体１１の上面に密着しているので、熱媒体流通管１０からの熱は、押え部材１４を介してパネル本体１１にも伝導される。この結果、放射効率が良好な放射パネル２が実現される。
【００３２】
ここで、図５を参照して、熱媒体流通管１０、パネル本体１１の凹部１２、及びパネル本体１１の固定部１７の位置及び大きさの関係について説明する。熱媒体流通管１０の外周直径をＲ１、パネル本体１１の厚みをＴ１、押え部材１４の本体部分１４ａの厚みをＴ２、パ凹部１２の下頂部と固定部１７の上面との距離をＬ１とすると、Ｌ１がＲ１＋Ｔ１＋Ｔ２より若干小さく設定されている。これにより、ねじ１６で固定部１７を天井下地材３に固定した際に、天井下地材３の下面により押え部材１４を介して熱媒体流通管１０がパネル本体１１の凹部１２内面に密着して嵌り込む状態が得られる。換言すれば、パネル本体１１の凹部１２に熱媒体流通管１０を配置すると共に、熱媒体流通管１０を覆うようにして押え部材１４を配置し、この状態でパネル本体１１の固定部１７で天井下地材３を固定する際に、天井下地材３の下面が押え部材１４に押圧力を付与することが可能な高さ位置に、パネル本体１１の固定部１７が形成されていることである。
【００３３】
図６は図１の側面図である。この図６及び図１を参照して、天井放射パネルユニット１が取り付けられた天井下地材３を、天井面５に吊り下げる吊下げ手段６の構造について説明する。本実施の形態において使用される天井下地材３は、上向きリップ溝形の軽鉄製の野縁バーによって実現される。吊下げ手段６は、天井下地材３、野縁受け２１、吊りボルト２２、及びハンガー金物２３等で構成される。天井下地材３は、この天井下地材３の上方で天井下地材３と直交する方向に配置される溝形鋼からなる野縁受け２１にクリップ２４を介して支持される。即ち、クリッパ２４の下端は前記天井下地材３の溝に係合し、クリッパ２４の上端は野縁受け２１に係合させてある。また、野縁受け２１は、天井面５に垂設した吊りボルト２２にハンガー金物２３を介して係合させることにより支持される。これにより、天井放射パネルユニット１が天井面５に吊り下げられた構造となる。このような吊り下げ構造により、天井放射パネルユニット１と天井面５との間隔を大きくとることができるので、天井面５での結露の発生を防止できる。
【００３４】
次いで、天井放射パネルユニット１を天井面５に取り付ける方法について説明する。
天井面５には、予め吊りボルト２２、ハンガー金物２３によって野縁受け２１が支持されている。そして、野縁受け２１の下方で野縁受け２１と直交する方向に配置される野縁バーである天井下地材３が、クリップ２４を介して野縁受け２１に支持される。これにより、天井下地材３が天井面５に吊り下げられた構造となっている。
【００３５】
上記の吊り下げ構造の天井下地材３に放射パネル２を取り付ける。具体的には以下の通りである。即ち、パネル本体１１の凹部１２に熱媒体流通管１０の直管部分１０ａを嵌め込むと共に、押え部材１４を、直管部分１０ａを覆うよう配置し、この状態でパネル本体１１の固定部１７をタッピングねじ１６で天井下地材３にねじ止めする。次いで、このパネル本体１１の第１の係合部１５に次のパネル本体１１の第２の係合部１８を係合させ、固定部１７をねじ止めにより天井下地材３に固定する。このとき、前記次のパネル本体１１の凹部１２には、予め熱媒体流通管１０の直管部分１０ａが嵌め込まれ且つこの直管部分１０ａを押え部材１４が覆うよう配置されている。そして、上記の工程を順次繰り返して所定の数量の放射パネル２を天井下地材３に取り付ける。こうして、複数の放射パネル２からなる天井放射パネルユニット１が天井下地材３を介して天井面５に取り付けられる。
【００３６】
上記取付方法によれば、パネル本体１１を天井下地材３に固定する際に、熱媒体流通管２のパネル本体１１への取付固定が同時に行われる。従って、特別な取付工程を経ることがなく、取付作業が容易である。また、押え部材１４により熱媒体流通管２が凹部１２内面に押し付けられるので、凹部１２内面と熱媒体流通管２との密着性が良好なものとなり、加えて、押え部材１４のフランジ部１４ｂは、パネル本体１１の上面に密着しているので、熱媒体流通管１０からの熱は、押え部材１４を介してパネル本体１１にも伝導される。この結果、伝熱性が良好となり、放射効率が良好な放射パネル２が実現される。
【００３７】
また、パネル本体１１の第１の係合部１５に次のパネル本体１１の第２の係合部１８を係合させ、固定部１７をねじ止めにより天井下地材３に固定するので、図２に示すように、固定部１７の下方を第２の係合部１８が覆うことになり、室内側からパネル本体１１を見た場合に、ねじ１６が第２の係合部１８によって隠されるので、室内の美観が損なわれることがない。
【００３８】
このようにして配設された天井放射パネルユニット１においては、冷房の場合は、熱媒体流通管１０の入り口１０Ａ（図３参照）から冷水を通水することにより、パネル本体１１が冷却され、人体等から放出された輻射熱を吸収する。また、暖房の場合は、熱媒体流通管１０の入り口１０Ａから温水を通水することにより、パネル本体１１が暖められ、室内に輻射熱を放出する。パネル本体１１で熱交換された冷水（温水）は、出口１０Ｂ（図３参照）から例えば空冷チラーに戻され、所定の温度に冷却又は加熱されて、熱媒体流通管１０内を循環する。
【００３９】
なお、図７に示すように、凹部１２内面と熱媒体流通管１０との間に、熱伝導率の良い接着剤（又は樹脂）３０を介在させるようにしてもよい。押え部材１４により熱媒体流通管１０が凹部１２内面に押さえ付けられた場合であっても、凹部１２内面と熱媒体流通管１０との間に僅かの間隙が生じる場合もあり、そのような場合には熱伝導性が劣る。そこで、上記のように熱伝導率の良い接着剤（又は樹脂）３０を介在させることにより、更に熱伝導性を向上でき、放射効率の向上した高性能の天井放射パネルユニット１を実現できる。
【００４０】
（実施の形態２）
図８は実施の形態２に係る天井放射パネルユニットの取付構造を示す断面図である。この実施の形態２は上記実施の形態１に類似し、対応する部分には同一の参照符号を付す。上記実施の形態１では、パネル本体１１は、凹部１２凸部１３が連続した波型状に形成されたものが用いられたが、本実施の形態２では、凹凸のない平坦状に形成されたパネル本体１１が用いられる。なお、この実施の形態２においは、Ｌ１がＲ１＋Ｔ１より若干小さく設定されている。これにより、ねじ１６で固定部１７を天井下地材３に固定した際に、天井下地材３の下面により押え部材１４を介して熱媒体流通管１０がパネル本体１１に密着して強固に固定された状態が得られる。
【００４１】
（実施の形態３）
図９は実施の形態３に係る天井放射パネルユニットの取付構造を示す断面図である。この実施の形態３は実施の形態１に類似し、対応する部分には同一の参照符号を付す。上記実施の形態１では押え部材１４が用いられたが、本実施の形態３では押え部材１４は省略され、支持部材３により直接熱媒体流通管１０を直接押さえるように構成されている。なお、この実施の形態３においは、Ｌ１がＲ１＋Ｔ１より若干小さいように設定されている。これにより、ねじ１６で固定部１７を天井下地材３に固定した際に、天井下地材３の下面により押え部材１４を介して熱媒体流通管１０がパネル本体１１の凹部１２内面に密着して嵌り込み強固に固定された状態が得られる。
【００４２】
（実施の形態４）
図１０は実施の形態４に係る天井放射パネルユニットの取付構造を示す断面図である。この実施の形態４は実施の形態２に類似し、対応する部分には同一の参照符号を付す。上記実施の形態１では押え部材１４が用いられたが、本実施の形態４では押え部材１４は省略され、支持部材３により直接熱媒体流通管１０を直接押さえるように構成されている。なお、この実施の形態３においは、Ｌ２がＲ１＋Ｔ１より若干小さいように設定されている。これにより、ねじ１６で固定部１７を天井下地材３に固定した際に、天井下地材３の下面により熱媒体流通管１０が押圧され、熱媒体流通管１０がパネル本体１１に密着して強固に固定された状態が得られる。
【００４３】
（実施の形態５）
図１１は実施の形態５に係る天井放射パネルユニットの取付構造を示す断面図である。この実施の形態５は実施の形態３に類似し、対応する部分には同一の参照符号を付す。本実施の形態５では、凹部１２の両側端部にそれぞれ上向きフランジ３５が一体的に形成されている。この上向きフランジ３５には、その外側面にペンチ等の工具の引っ掛かりを容易にするための係止突起３５ａが形成されている。
【００４４】
放射パネル２の取り付けに際しては、熱媒体流通管１０を凹部１２に敷設した後、上向きフランジ３５をペンチ等の工具を用いて内側に折り曲げる。具体的に説明すると、ペンチ等の工具を係止突起３５ａに引っ掛けて、上向きフランジ３５を仮想線で示すように熱媒体流通管１０の外周面に沿って折り曲げる。次いで、ねじ１６を締め付けて、天井下地材３に放射パネル２を取り付ける。これにより、主として、天井下地材３と凹部１２とで熱媒体流通管１０が固定され、補助的には上向きフランジ３５によってもまた熱媒体流通管１０が固定されることになる。また、上記のように、上向きフランジ３５が熱媒体流通管１０の外周面に沿って折り曲げられることにより、熱媒体流通管１０とパネル本体１１とは、凹部１２に加えて上向きフランジ３５においても接触することになる。従って、接触部分が凹部１２のみである実施の形態３よりも本実施の形態５の方が、熱伝導性が良好である。
【００４５】
（実施の形態６）
図１２は実施の形態６に係る天井放射パネルユニットの取付構造を示す断面図である。この実施の形態６は実施の形態４に類似し、対応する部分には同一の参照符号を付す。本実施の形態５では、凹凸のない平坦状に形成されたパネル本体１１には、その上面に熱媒体流通管１０が嵌り込む半円状の凹部を備えた管受け部３６が一体的に形成されており、この管受け部３６の凹部両側端部にそれぞれ上向きフランジ３５が一体的に形成されている。この上向きフランジ３５には、その外側面にペンチ等の工具の引っ掛かりを容易にするための係止突起３５ａが形成されている。
【００４６】
この実施の形態６は、上記実施の形態５と同様に、放射パネル２の取り付けに際しては、熱媒体流通管１０を管受け部３６に敷設した後、上向きフランジ３５をペンチ等の工具を用いて内側に折り曲げる。具体的に説明すると、ペンチ等の工具を係止突起３５ａに引っ掛けて、上向きフランジ３５を仮想線で示すように熱媒体流通管１０の外周面に沿って折り曲げる。次いで、ねじ１６を締め付けて、天井下地材３に放射パネル２を取り付ける。これにより、主として、天井下地材３と凹部１２とで熱媒体流通管１０が固定され、補助的には上向きフランジ３５によってもまた熱媒体流通管１０が固定されることになる。また、上記のように、上向きフランジ３５が熱媒体流通管１０の外周面に沿って折り曲げられることにより、熱媒体流通管１０とパネル本体１１とは、管受け部３６に加えて上向きフランジ３５においても接触することになり、熱伝導性が向上する。
【００４７】
（その他の事項）
（１）上記実施の形態では、天井下地材（野縁バー）３、野縁受け２１、吊りボルト２２、ハンガー金物２３等によって、放射パネル２を天井面５に吊り下げる構造としたけれども、本発明はこれに限定されず、例えば、放射パネル２を天井パネル３Ａ（支持部材に相当）に取り付け、この天井パネル３ＡをＴバーを用いて天井面５に吊り下げる構造であってもよい。図１３を参照して詳述すると、天井面５には吊りボルト２２が垂下され、この吊りボルト２２からはさらにハンガー金物２３が垂下されている。ハンガー金物２３の下端には、下面中央部を溝状に開口した把持部４３が形成されている。この把持部４３には、Ｔバー４５の頭部４５ａが嵌り込んでいる。一方、各放射パネル２は天井パネル３Ａに取り付けられており、Ｔバー４５の水平フランジ部４５ｂ上に天井パネル３Ａが載せられることにより、天井放射パネルユニット１が天井面５に吊下げられた構造となっている。
【００４８】
（２）また、吊下げられた構造ではなく、放射パネル２を天井面５に直接固定するようにしてもよい。このようにしても、パネル本体１１上に熱媒体流通管１０が敷設された状態で、パネル本体１１を天井面５に直接取り付けることにより、同時に天井面５とパネル本体１１とによって熱媒体流通管１０が挟持されて、熱媒体流通管１０に固定されることになる。
【００４９】
（３）上記実施の形態では、熱媒体流通管１０は断面が円形状であったけれども、本発明はこれに限定されない。例えば、図１４（１）に示すように、断面形状が四角形の熱媒体流通管１０を用いてもよいし、図１４（２）に示すように、断面形状が楕円形の熱媒体流通管１０を用いてもよい。この場合、パネル本体１１の凹部１２及び押え部材１４の本体部１４ａは、図１４（１）、（２）に示すように、熱媒体流通管１０の断面形状に応じた形状とされる。
【００５０】
（４）また、凹凸のない平坦状のパネル本体の場合には、図１４（３）に示すように、断面形状が三角形の熱媒体流通管１０を用いることも可能である。この場合も、押え部材１４の本体部１４ａは、図１４（３）に示すように、熱媒体流通管１０の断面形状に応じた形状とされる。
【産業上の利用可能性】
【００５１】
本発明は、病院、高齢者施設、図書館等の各種建物内における空間内の調温および調湿を行うための空気調和システムに広汎に適用することが可能である。
【図面の簡単な説明】
【００５２】
【図１】実施の形態１に係る天井放射パネルユニットの取付構造を示す断面図。
【図２】図１の一部を拡大した断面図。
【図３】放射パネルの平面図。
【図４】放射パネルの一部を示す斜視図。
【図５】熱媒体流通管、パネル本体の凹部、及びパネル本体の固定部の位置及び大きさの関係を示す図。
【図６】図１の側面図。
【図７】放射パネルの変形例を示す断面図。
【図８】実施の形態２に係る天井放射パネルユニットの取付構造を示す断面図。
【図９】実施の形態３に係る天井放射パネルユニットの取付構造を示す断面図。
【図１０】実施の形態４に係る天井放射パネルユニットの取付構造を示す断面図。
【図１１】実施の形態５に係る天井放射パネルユニットの取付構造を示す断面図。
【図１２】実施の形態６に係る天井放射パネルユニットの取付構造を示す断面図。
【図１３】放射パネルユニットの吊下げ構造の変形例を示す断面図。
【図１４】熱媒体流通管の変形例を示す断面図。
【図１５】従来の冷暖房装置の一例を示す模式斜視図。
【図１６】図１５の冷暖房装置におけるパイプの取付構造を示す概略断面図。
【符号の説明】
【００５３】
１：放射パネルユニット                  ２：放射パネル
３：天井下地材（支持部材）            ３Ａ：天井パネル（支持部材）
５：天井面                            １０：熱媒体流通管
１０ａ：直管部分                        １０ｂ：湾曲管部分
１１：パネル本体                        １２：凹部
１３：凸部                              １４：押え部材
１５：第１の係合部                      １６：ねじ
１７：固定部                              １８：第２の係合部
【図１】
2008275227.tif 000003
【図２】
2008275227.tif 000004
【図３】
2008275227.tif 000005
【図４】
2008275227.tif 000006
【図５】
2008275227.tif 000007
【図６】
2008275227.tif 000008
【図７】
2008275227.tif 000009
【図８】
2008275227.tif 000010
【図９】
2008275227.tif 000011
【図１０】
2008275227.tif 000012
【図１１】
2008275227.tif 000013
【図１２】
2008275227.tif 000014
【図１３】
2008275227.tif 000015
【図１４】
2008275227.tif 000016
【図１５】
2008275227.tif 000017
【図１６】
2008275227.tif 000018